(57)【要約】【課題】容易に組み立てられ、スムーズな光軸調整作業が可能となるように鏡胴が軸支された光電式分離型感知器を提供することを目的としている。【解決手段】光電式分離型感知器１００において、鏡胴２２と、鏡胴を支持する枠２４と、第１及び第２の直線を中心に鏡胴を回転させ第１及び第２の調整手段からなる光軸調整手段５０とを備え、第１および第２の調整手段は、操作つまみ５５と軸部５６からなる調整ネジ５１，５２と、軸部にはめ込まれているばね６０と、ばねの先で軸部にはめられたワッシャー６１と、ワッシャーの先で軸部のネジに螺合するナット６２とを有し、鏡胴と枠とに軸部が挿通でき、ワッシャーが挿通できない開孔部材を設け、鏡胴と枠のそれぞれの開孔部材に、各調整手段のワッシャーとナットがばねの付勢力により挟むように取り付けられている。【選択図】図３
2006268868.tif 000002
【特許請求の範囲】
【請求項１】
光を発光する発光手段を有する発光器と発光器から発せられた光を受光する受光手段を有する受光器とを分離して配置し、その間の煙の有無を検出するものであって、
発光器および受光器は、それぞれ、
発光手段および受光手段を保持し、発光手段と受光手段の光軸に直交する第１の直線を中心に回転可能である保持部材と、
保持部材を支持し、光軸と第１の直線に直交する第２の直線を中心に回転可能である支持部材と、
発光手段および受光手段の光軸を調整するために、第１の直線を中心に保持部材を回転駆動する第１の調整手段と、第２の直線を中心に支持部材を回転駆動する第２の調整手段とからなる光軸調整手段とを備える光電式分離型感知器において、
第１の調整手段および第２の調整手段は、いずれも、操作つまみとネジが切られた軸部からなるつまみ部材と、軸部にはめ込まれているばねと、ばねの先において軸部にはめ込まれているワッシャーと、ワッシャーの先において軸部のネジに螺合しているナットとを含み、
保持部材には、少なくとも前記軸部が挿通でき、かつ前記ワッシャーが挿通できない開孔を有する第１の開孔部材が設けられ、
第１の調整手段は、前記ばねの付勢力によりワッシャーとナットが第１の開孔部材を挟むように取り付けられてなり、
支持部材には、少なくとも前記軸部が挿通でき、かつ前記ワッシャーが挿通できない開孔を有する第２の開孔部材が設けられ、
第２の調整手段は、前記ばねの付勢力によりワッシャーとナットが第２の開孔部材を挟むように取り付けられてなることを特徴とする光電式分離型感知器。
【請求項２】
第１の開孔部材と第２の開孔部材のそれぞれには、ナットを接した状態で収納するナット収納部が設けられ、
ナットは、断面円弧状の曲線からなる曲面を有し、この曲面を軸部が貫通するように軸部に螺合しており、保持部材および支持部材それぞれの回転にともない前記曲面のナット収納部に対する接触位置が変化するように、ナット収納部に収納されることを特徴とする請求項１に記載の光電式分離型感知器。
【請求項３】
ナットは円柱形状を有する丸形ナットであることを特徴とする請求項２に記載の光電式分離型感知器。
【請求項４】
第１の開孔部材および第２の開孔部材に形成された開孔は、操作つまみ側からナットが挿通可能な形状に形成され、
ナット収納部は、開孔に連続し、開孔を挿通したナットを挿通方向に直交する面内において所定の角度回転させた向きで収納可能であることを特徴とする請求項２または３に記載の光電式分離型感知器。
【請求項５】
前記発光器および受光器は、それぞれ、操作つまみを操作することで前記発光手段および前記受光手段の光軸を調整するために前記保持部材を所定の方向に駆動するつまみ部材を備え、
前記発光器および受光器いずれであっても、
前記操作つまみには、操作つまみの調整方法と、この調整方法によって操作つまみを操作した場合における操作つまみの動作方向と前記保持部材の駆動される方向との対応関係が表示された表示部が設けられていることを特徴とする請求項１から４のいずれか一項に記載の光電式分離型感知器。
【請求項６】
前記表示部は、発光材料を含んでいることを特徴とする請求項５に記載の光電式分離型感知器。
【請求項７】
前記表示部は、その周縁部よりも落ち込んだ凹面に形成されていることを特徴とする請求項５または６に記載の光電式分離型感知器。
【請求項８】
前記表示部に表示された操作つまみの動作方向と前記保持部材の駆動される方向は一致していることを特徴とする請求項５〜７のいずれか一項に記載の光電式分離型感知器。
【発明の詳細な説明】
【技術分野】
【０００１】
この発明は、発光器と受光器に分離して設置され、火災により発生する煙を検出して火災を感知する光電式分離型感知器に関する。
【背景技術】
【０００２】
発光器と受光器が分離して設置され、発光器から発せられた光を受光器が受光することによって煙の有無を検出し、火災の発生を感知する光電式分離型感知器が知られている。
このような光電式分離型感知器において、発光器および受光器にはレンズを保持する鏡胴と鏡胴の光軸を調整するための光軸調整機構が設けられている。従来の光電式分離型感知器において一般的に用いられている光軸調整機構としては、鏡胴やこれを支持する部材にねじ穴を設け、このねじ穴に調整ネジを螺合させて、この調整ネジを回動させることによって調節していた。
【０００３】
このような調節機構としては、たとえば特許文献１に開示されているものが挙げられる。図１５にはこの公報に開示された感知器の概略を示した。この公報に開示されている光電式分離型感知器１では、レンズ２がはめ込まれたレンズ鏡胴３を、Ｕ字型の枠４に対して上下に回転可能に軸支し、さらにこの枠４を回転台５に対して左右に回転可能に軸支している。そして、レンズ鏡胴３と枠４との間および枠４と回転台５との間を、バネ７の付勢力により互いの間が離れるようにして調整ネジ８，８で連結している。このように構成された感知器１においてレンズ鏡胴３を上下あるいは左右方向に調整する作業は、各調整ネジ８を回動させて、バネ７の付勢力に抗して互いの間を狭めるか、バネ７の付勢力を利用して互いの間を広げるかのいずれかによって行われる。
【特許文献１】特開平４−１９１９９８号公報
【発明の開示】
【発明が解決しようとする課題】
【０００４】
しかしながら、上記光軸調整機構では、調節ねじ８を枠４に形成されたねじ穴に直接ねじ込む構造となっていることから、光軸調整のために調整ネジ８を回動させると、調整ネジ８の軸方向に対するねじ穴の角度が変わってしまい、これによって、調整ネジ８の回転トルクが大きくなってスムーズな調整が行えなくなる上に、各部材に歪みを発生させるおそれがあった。
また、この光軸調整機構を組み立てるには、バネ７を介在させた状態で、調整ネジ８の軸方向をねじ穴の長さ方向に正確に合わせながら、調整ネジ８を枠４のねじ穴にねじ止めしなければならない。バネ７の付勢力に抗しながらこの組立作業を行うことは容易なことではなかった。
【０００５】
さらに、調整ネジの回転量に対する鏡胴の回動量は微量なものとして設定されていることから、鏡胴の回転は肉眼では分かりにくい。それであるにも拘わらず、従来の光電式分離型感知器の光軸調整機構に設けられていた調整ネジは、その回転方向と鏡胴の回転方向の関係が明示されておらず、目的とする方向に鏡胴を回転させるために、調整ネジをどちらの方向に回転させればよいのか、複数の調整ネジがある場合には、どの調整ネジを操作すればよいのか判断しにくく、調整に手間取ることが多かった。
特に、光電式分離型感知器は、大型のスポーツ施設などの高天井の暗所に設置されることが多く、なおさら調整作業が困難であった。
【０００６】
この発明は、上記実状に鑑みてなされたもので、容易に組み立てられ、各部材が歪むような無理な力がかかることなく、スムーズにかつ簡単に調整できる光軸調整機構を備え、また、スムーズな光軸調整作業が可能となるように軸支される取り付け構造を有する光電式分離型感知器を提供することを目的としている。
【課題を解決するための手段】
【０００７】
請求項１に記載の発明は、たとえば図１１〜図１４に示すように、
光を発光する発光手段を有する発光器と発光器から発せられた光を受光する受光手段を有する受光器とを分離して配置し、その間の煙の有無を検出するものであって、
発光器および受光器は、それぞれ、
発光手段および受光手段を保持し、発光手段と受光手段の光軸に直交する第１の直線を中心に回転可能である保持部材（鏡胴２２）と、
保持部材を支持し、光軸と前記第１の直線に直交する第２の直線を中心に回転可能である支持部材（枠２４）と、
発光手段および受光手段の光軸を調整するために、前記第１の直線を中心に保持部材を回転駆動する第１の調整手段と、前記第２の直線を中心に支持部材を回転駆動する第２の調整手段とからなる光軸調整手段（５０）とを備える光電式分離型感知器（煙感知器１００）において、
第１の調整手段および第２の調整手段は、いずれも、操作つまみ（５５）とネジ（ネジ部５６ａ）が切られた軸部（５６）からなるつまみ部材（調整ネジ５１，５２）と、前記軸部にはめ込まれているばね（調整バネ６０，６０）と、前記ばねの先において前記軸部にはめ込まれているワッシャー（６１，６１）と、ワッシャーの先において前記軸部のネジに螺合しているナット（丸形ナット６２，６２）とを含み、
保持部材には、少なくとも前記軸部が挿通でき、かつ前記ワッシャーが挿通できない開孔（５４ａ）を有する第１の開孔部材（上下調節部５４）が設けられ、
第１の調整手段は、前記ばねの付勢力によりワッシャーとナットが第１の開孔部材を挟むように取り付けられてなり、
支持部材には、少なくとも前記軸部が挿通でき、かつ前記ワッシャーが挿通できない開孔（５３ａ）を有する第２の開孔部材（左右調節部５３）が設けられ、
第２の調整手段は、前記ばねの付勢力によりワッシャーとナットが第２の開孔部材を挟むように取り付けられてなることを特徴とする。
【０００８】
請求項１に記載の発明によれば、光軸調整手段を構成する第１および第２の調整手段において、ばねの付勢力でワッシャーとナットにより保持部材の第１の開孔部材と、支持部材の第２の開孔部材が挟まれた状態であるので、操作つまみを回転させることによってナットの軸部に対するねじ込み量を変え、つまりナットの位置を変えると、ナットとワッシャーにより、保持部材は第１の開孔部材を介して、および支持部材は第２の開孔部材を介して引っ張られたり押されたりするので、結局、ナットの動きにともなって回転する。
このような構成によれば、操作つまみの回転量に対する、保持部材や支持部材の回転量の関係はほぼ一定であり、スムーズに高い精度で保持部材に保持された発光手段や受光手段の光軸調整を行うことができる。
【０００９】
請求項２に記載の発明は、請求項１に記載の光電式分離型感知器において、
第１の開孔部材と第２の開孔部材のそれぞれには、ナットを接した状態で収納するナット収納部（５７，５８）が設けられ、
前記ナットは、断面円弧状の曲線からなる曲面を有し、この曲面を軸部が貫通するように軸部に螺合しており、保持部材および支持部材それぞれの回転にともない前記曲面のナット収納部に対する接触位置が変化するように、ナット収納部に収納されることを特徴とする。
【００１０】
請求項２に記載の発明によれば、調整作業における保持部材および支持部材それぞれの回転によって、つまみ部材の軸部に対する第１の開孔部材や第２の開孔部材の各ナット収納部に対する角度が変化しても、保持部材および支持部材それぞれの回転にともないナット収納部に対するナットの曲面の接触位置が変化するだけであり、保持部材や支持部材あるいはつまみ部材等に無理な力がかかることはなく、各部材が歪むことはない。
しかも、曲面であることから、接触面積は一定であり、第１、第２の開孔部材に対してナットから加わる力もあまり変わらず、この点においても一定の状態で光軸調整を行うことができる。
【００１１】
請求項２に記載の光電式分離型感知器において、ナットの形状は、たとえば、球、断面半円形状の円柱等が挙げられるが、請求項３に記載の発明のように、円柱形状を有する丸形ナットであってもよい。
【００１２】
請求項４に記載の発明は、請求項２または３に記載の光電式分離型感知器において、
第１の開孔部材および第２の開孔部材に形成された開孔は、操作つまみ側からナットが挿通可能な形状に形成され、
ナット収納部は、開孔に連続し、開孔を挿通したナットを挿通方向に直交する面内において所定の角度回転させた向きで収納可能であることを特徴とする。
【００１３】
請求項４に記載の発明によれば、操作つまみに螺合した状態のナットを開孔に挿通し、所定の角度回転させた後に、ナット収納部に収納させることができるので、軸部を開孔部材に通した後ナットを操作つまみとは逆側から螺合させるといった面倒な作業を要さず、ワッシャーやナットをはめ込んだ状態のつまみ部材を回転させれば、ナット収納部に収納させることが可能であり、非常に容易に組み立てることができる。
【００１４】
請求項５に記載の発明は、請求項１〜４のいずれか一項に記載の光電式分離型感知器において、たとえば、図１１に示すように、
発光器および受光器は、それぞれ、操作つまみ（５５）を操作することで発光手段および受光手段の光軸を調整するため保持部材を所定の方向に駆動するつまみ部材（調整ネジ５１，５２）を備え、
発光器および受光器いずれであっても、
操作つまみには、操作つまみの調整方法と、この調整方法によって操作つまみを操作した場合における操作つまみの動作方向と保持部材の駆動される方向との対応関係が表示された表示部（５５ｃ）が設けられていることを特徴とする。
【００１５】
請求項５に記載の発明によれば、操作つまみの調整方法と、この調整方法によって操作つまみを操作した場合における操作つまみの動作方向と保持部材の駆動される方向との対応関係が表示された表示部が設けられていることから、表示部を見れば、どのような方法で調整すればよいかということや、保持部材がどういう方向に駆動されるのかということがすぐに分かる。
ここで、操作つまみの調整方法としては、たとえば、操作つまみを、回転する方法や前後左右方向へ直線的に移動させる方法が挙げられる。操作つまみを操作した場合における操作つまみの動作方向と保持部材の駆動される方向との対応関係とは、たとえば、調整方法が回転である場合に、操作つまみを右に回転すると保持部材の光軸が作業者に対して右側に移動あるいは回転するといった内容や、調整方法が直線移動である場合に、操作つまみを左に移動させると保持部材の光軸が作業者に対して左に移動あるいは回転するといったことである。
この表示部は、操作つまみに直接彫ったり特殊インクで印字して設けてもよいし、銘板やシールを貼ってもよい。
【００１６】
請求項５に記載の光電式分離型感知器において、請求項６に記載の発明のように、表示部は、発光材料を含んでいてもよい。
請求項６に記載の発明によれば、表示部は発光材料を含んでいるので、大型施設の高天井等の暗所に設置する場合にも目視しやすい。
ここで、発光材料としては、蛍光材料、蛍光材料以外の無機物からなる夜光材料が挙げられ、「含む」とは、発光材料が塗布された状態でもよいし、発光材料からなる銘板やシールであってもよい。
【００１７】
請求項７に記載の発明は、請求項５または６のいずれかに記載の光電式分離型感知器において、
表示部は、その周縁部（５５ａ）よりも落ち込んだ凹面（５５ｂ）に形成されていることを特徴とする。
【００１８】
請求項７に記載の発明によれば、表示部はその周縁部よりも落ち込んだ凹面に形成されていることから、調整作業時に操作つまみに触れても、表示部にはあまり触れることがないので、表示部の文字等が摩滅したり、銘板やシールが剥がれるといったことが生じにくく、長期間使用できる。
また、表示部を銘板やシールによって形成した場合、製造時において、周縁部と凹面との間に段差があることで貼る際の位置決めがしやすい。
【００１９】
請求項８に記載の発明は、請求項５〜７のいずれか一項に記載の光電式分離型感知器において、
表示部に表示された操作つまみの動作方向と保持部材の駆動される方向は一致していることを特徴とする。
【００２０】
請求項８に記載の発明によれば、請求項５〜７の発明の効果に加えて、作業者は感覚的に違和感なく調整作業を行うことができる。
たとえば、操作つまみを、回転する方法や前後左右方向への直線的に移動させる方法によって操作した場合、操作つまみを右に回転すると保持部材の光軸が作業者に対して右側に回転するといったことや、調整方法が直線移動である場合に、操作つまみを左に移動させると保持部材の光軸が作業者に対して左に移動するといったことである。
【００２１】
また、課題を解決するための手段としての各構成にあっては、たとえば図３，図７，図９に示すように、
発光手段および受光手段の光軸を調整するために、光軸に直交する第１の直線および光軸と前記第１の直線に直交する第２の直線とを中心に、回転駆動可能であるように保持部材を支持する支持手段を備え、
支持手段は、保持部材を囲むように設けられる枠体（枠２４）と、枠体を支持する枠体支持部材（アーム２５）とを含み、
保持部材には、前記第１の直線上の対向する２カ所において、第１の直線に沿った方向に出没可能であり略円柱形状を有する第１出没部材（突出ボタン４０）が設けられ、枠体には第１の出没部材が内接した状態で係合する保持部材用係合穴（係合穴３８ａ、３８ｂ）が設けられ、
枠体には、前記第２の直線上の対向する２カ所において、第２の直線に沿った方向に出没可能であり略円柱形状を有する第２出没部材（突出ボタン４０）が設けられ、枠体支持部材には第２の出没部材が内接した状態で係合する枠体用係合穴（係合穴２６ａ，２６ｂ）が設けられ、
第１出没部材は、枠体を押圧した状態で保持部材用係合穴に係合し、
第２出没部材は、枠体支持部材を押圧した状態で枠体用係合穴に係合する構成を加えても良い。
【００２２】
かかる構成によれば、保持部材は、第１の直線に沿った方向に出没可能である第１出没部材を保持部材用係合穴に内接係合させた状態で、枠体に取り付けられ、枠体は、第２の直線に沿った方向に出没可能である第２出没部材を枠体用係合穴に内接係合させた状態で、枠体用支持部材に取り付けられていることから、保持部材は第１出没部材を軸として第１の直線を中心に回転可能となり、さらに枠体が第２出没部材を軸として回転可能であることから枠体を介して保持部材が第２の直線を中心に回転可能となる。したがって、従来の固定されたピンなどにより軸支する構造とは全く異なり、可動の出没部材を利用して、保持部材を回転可能に構成している。
各出没部材は略円柱形状であることから、ピンなどに固定することに比べて、太い円柱形状の軸を中心に回転動作することになり、滑らかな回転が可能となる。
しかも各出没部材は枠体や枠体支持部材に対して押圧した状態で係合する。よって、回転時、保持部材と枠体との関係において、あるいは枠体と枠体支持部材との関係において、ずれ等が生じそうになったとしても、第１および第２出没部材の押圧力により部材同士がずれにくく、がたつきがほとんど発生しなくなる。
さらに、従来の光電式分離型感知器とは異なり、保持部材は、第１の直線上において直接軸支され、また第２の直線上において枠体を介して軸支されており、結局、直交する２つの直線上において４カ所で軸支されているので、この点においてもがたつきのない強固な軸支構造となる。
以上のように、がたつきがなく滑らかに回転できるので、高い精度で光軸調整作業が可能となる。
【００２３】
さらに、上記構成において、
第１の出没部材は、保持部材用係合穴に係合可能である上部と上部よりも太い下部とからなり、下部により枠体を押圧し、
第２の出没部材は、枠体用係合穴に係合可能である上部と上部よりも太い下部とからなり、下部により枠体支持部材を押圧するように構成してもよい。
上記構成によれば、各出没部材について、枠体用係合穴に係合可能である上部と上部よりも太い下部から構成することで、各係合穴に対する係合と枠体や枠体支持部材の押圧という２つの機能を持たせることができる。
【００２４】
さらに、上記構成において、枠体には、第１出没部材を保持部材用係合穴に向かってガイドするように窪んでいるガイド溝（３９）が設けられていてもよい。この場合、より一層、保持部材を枠体に対して簡単に組み付けることができる。
【００２５】
さらに、上記構成において、
第１出没部材および第２出没部材はそれぞれコイルバネ（４１、４１）により出没可能になっており、
保持部材には、第１の直線上の前記対向する２カ所において、外側に向かう開口を有しコイルバネを収納する第１収納穴（収納穴３３ａ，３４ａ）が設けられ、
枠体には、第２の直線上の前記対向する２カ所において、外側に向かう開口を有しコイルバネを収納する第２収納穴（収納穴３５ａ，３６ａ）が設けられ、
第１出没部材は、第１収納穴に挿入したコイルバネを被うように第１収納穴にはめ込まれ、
第２出没部材は、第２収納穴に挿入したコイルバネを被うように第２収納穴にはめ込まれる構成としても良い。
【００２６】
その場合、組み立て時においても、第１収納穴や第２収納穴にコイルバネを挿入しその上から各出没部材を被せればよいので、簡単な作業で組み立てることができる。
さらに、保持部材を枠体に対して、枠体を枠体支持部材に対して、それぞれ組み付ける際には、出没部材の頂点を押して少し没した状態とし係合穴に位置を合わせた後、外力を外せばコイルバネの付勢力により自然に係合するので、楽に組み付けることができる。
【００２７】
さらに、上記構成において、
第１収納穴と第２収納穴の底部には、コイルバネを支持するためのバネ支持用突起（突起３３ｂ，３４ｂ，３５ｂ，３６ｂ）が設けられている構成としても良い。
【００２８】
その場合、バネ支持用突起に合わせるようにコイルバネを第１収納穴や第２収納穴に挿入することで、各穴内においてコイルバネを直立させることができるので、出没部材を被せやすくなり、組み立てが容易になる。
ここで、バネ支持用突起の形状は、コイルバネの直径よりも幅の小さい突起であってもよいし、コイルバネ端部のコイル部分を周方向に沿って外側と内側から挟むように支持するようなものでもよい。
【００２９】
さらに、上記構成において、
第１収納穴と第２収納穴の深さとコイルバネの長さはほぼ同じであり、第１出没部材と第２出没部材それぞれの下部にはコイルバネの頭部が填る凹部（４０ｃ）が設けられている構成としても良い。
【００３０】
その場合、十分に安定した付勢力が得られる程度にコイルバネの長さを確保したとしても、その割には第１収納穴や第２収納穴から出没部材までの長さがコンパクトなものとなる。
また、第１収納穴と第２収納穴のそれぞれにコイルバネを挿入し、そのバネの上に第１出没部材と第２出没部材それぞれの下部の凹部を被せると、その下部も各収納穴に入り込む。各出没部材が各収納穴から完全に突出した状態であると、組み立て時に保持部材を枠体に取り付ける際や枠体を枠体支持部材に取り付ける際に、作業しにくいが、上述のように構成すれば、コイルバネの力に抗して無理に出没部材を抑える必要もなく組み立て作業がしやすい。
【発明の効果】
【００３１】
請求項１に記載の発明によれば、光軸調整手段を構成する第１および第２の調整手段において、ばねの付勢力でワッシャーとナットにより保持部材の第１の開孔部材と、支持部材の第２の開孔部材が挟まれた状態であるので、操作つまみを回転させることによってナットの軸部に対するねじ込み量を変え、つまりナットの位置を変えると、ナットとワッシャーにより、保持部材は第１の開孔部材を介して、および支持部材は第２の開孔部材を介して引っ張られたり押されたりするので、結局、ナットの動きにともなって回転する。
このような構成によれば、操作つまみの回転量に対する、保持部材や支持部材の回転量の関係はほぼ一定であり、スムーズに高い精度で保持部材に保持された発光手段や受光手段の光軸調整を行うことができる。
【００３２】
請求項２に記載の発明によれば、調整作業における保持部材および支持部材それぞれの回転によって、つまみ部材の軸部に対する第１の開孔部材や第２の開孔部材の各ナット収納部に対する角度が変化しても、保持部材および支持部材それぞれの回転にともないナット収納部に対するナットの曲面の接触位置が変化するだけであり、保持部材や支持部材あるいはつまみ部材等に無理な力がかかることはなく、各部材が歪むことはない。
しかも、曲面であることから、接触面積は一定であり、第１、第２の開孔部材に対してナットから加わる力もあまり変わらず、この点においても一定の状態で光軸調整を行うことができる。
【００３３】
請求項４に記載の発明によれば、操作つまみに螺合した状態のナットを開孔に挿通し、所定の角度回転させた後に、ナット収納部に収納させることができるので、軸部を開孔部材に通した後ナットを操作つまみとは逆側から螺合させるといった面倒な作業を要さず、ワッシャーやナットをはめ込んだ状態のつまみ部材を回転させれば、ナット収納部に収納させることが可能であり、非常に容易に組み立てることができる。
【００３４】
請求項５に記載の発明によれば、操作つまみの調整方法と、この調整方法によって操作つまみを操作した場合における操作つまみの動作方向と保持部材の駆動される方向との対応関係が表示された表示部が設けられていることから、表示部を見れば、どのような方法で調整すればよいかということや、保持部材がどういう方向に駆動されるのかということがすぐに分かる。
【００３５】
請求項６に記載の発明によれば、表示部は発光材料を含んでいるので、大型施設の高天井等の暗所に設置する場合にも目視しやすい。
【００３６】
請求項７に記載の発明によれば、表示部はその周縁部よりも落ち込んだ凹面に形成されていることから、調整作業時に操作つまみに触れても、表示部にはあまり触れることがないので、表示部の文字等が摩滅したり、銘板やシールが剥がれるといったことが生じにくく、長期間使用できる。
【００３７】
請求項８に記載の発明によれば、請求項５〜７の発明の効果に加えて、作業者は感覚的に違和感なく調整作業を行うことができる。
【発明を実施するための最良の形態】
【００３８】
以下、この発明の実施の形態について、図面を参照しながら説明する。
図１は、本発明に係る光電式分離型感知器の一例としての煙感知器１００の外観を示すものである。光電式分離型感知器は、光を発光する発光器と発光器から発せられた光を受光する受光器からなるが、本発明に係る構成については発光器および受光器のいずれであってもほぼ同様であることから、本実施の形態では、煙感知器１００は発光器および受光器のいずれであってもよいとして以下の説明を行う。
【００３９】
煙感知器１００は、図１（ｂ）に示すように、外観上前カバー１０と本体ケース１１とからなる。前カバー１０の上端部には、図２に示すようにリンク１４が設けられ、一方、本体ケース１１の上端部には図示しない軸が設けられており、前カバー１０は、リンク１４が前記軸に係合することによって、本体ケース１１に対し回動可能に取り付けられている。さらに、前カバー１０の下端部に設けられている係止部１５が本体ケース１１の図示しない爪に係止することによって、前カバー１０と本体ケース１１は図１（ｂ）に示すように固定されている。そして、前カバー１０は、図１（ｂ）の状態で本体ケース１１内部を保護し、かつ、図２のように回動することによって、本体ケース１１内部を露出させる。
【００４０】
前カバー１０には、図１（ａ）に示すように窓１２が設けられ、該窓１２を通して光が発光または受光されるようになっている。さらに、前カバー１０の窓１２の下方には作動表示灯１３が設けられ、煙感知器１００の火災感知動作時、点灯あるいは点滅するようになっている。
本体ケース１１の内部には、発光機能または受光機能を有する本体２０が取り付けられている。
【００４１】
図３は、本体２０の断面図である。本体２０は、回路収納部２１、レンズ２３が取り付けられた鏡胴２２、鏡胴２２を側面から支持する枠２４、回路収納部２１に取り付けられ枠２４を上下方向から支持するアーム２５、および光軸調整手段５０等からなる。
回路収納部２１は、本体２０の下部に設けられ、図３の上方向から見た場合にほぼ正方形状に形成された箱体である。回路収納部２１には、後述の光学部２８と接続された図示しない回路基板や接続端子が設けられており、回路収納部２１は、光学部２８からの発光を制御したり、光学部２８が受光したときに発生する受光信号に基づいて火災信号を出力したりするものである。
【００４２】
本発明の枠体支持部材であるアーム２５は、図３に示すように断面視略コの字状に形成されており、上部２５ａ、背部２５ｂ、下部２５ｃからなる。下部２５ｃは上下方向から見た場合に、前記回路収納部２１の正方形状とほぼ同じ大きさ・形状を有する平板に形成され、背部２５ｂおよび上部２５ａは細長い棒状に形成されている。また、図９あるいは図１１に示すように下部２５ｃの端部からは、後述する調整ネジ５１の軸部５６がはめ込まれる軸部用穴２５ｅが形成された軸部保持部２５ｄが、上方向に延出している。
また、アーム２５の上部２５ａと下部２５ｃのそれぞれには、枠２４にはめ込まれた突出ピン４０，４０を係合させるための係合穴（枠体用係合穴）２６ａ、２６ｂが同じ形状・大きさで形成されている。これら係合穴２６ａ，２６ｂは、それぞれの中心を結ぶ直線（第２の直線）がレンズ２３の光軸に対して直交するように設けられている。
背部２５ｂには、アーム２５を本体ケース１１に取り付けるためのねじ穴（図示略）が形成されている。また、アーム２５の下部２５ｃには、回路収納部２１の上面がねじ等により固定して取り付けられている。
【００４３】
鏡胴２２は、図３、図４に示すように、略円筒形状に形成され、内部にレンズ２３を保持するもので、本発明の保持部材である。鏡胴２２の後部の開口には、回路収納部２１の前記回路基板にリード線２９を介して接続される送受光用回路基板２７が取り付けられており、この回路基板２７に図示しない発光素子または受光素子を含む光学部２８が設けられている。
そして、煙感知器１００においては、煙感知器１００が発光器であれば発光素子から発せられた光がレンズ２３を通って前方に出射され、受光器であれば発光器から発せられレンズ２３を通過して入射した光を受光素子によって受光するようになっている。
【００４４】
また、鏡胴２２の上部には、光軸調整手段５０によって光軸調整する際に光軸確認を行うためののぞき穴３０、３０、鏡用差込穴３１、３１、採光穴３２，３２が左右一対ずつ設けられ、鏡用差込穴３１，３１のそれぞれに鏡３１ａ，３１ａが差し込まれる。そして、採光穴３２，３２、鏡３０ａ，３０ａ、のぞき穴３０，３０の角度の関係から、煙感知器１００の前方からたとえば左の採光穴３２を介して光が入ると、その後方の鏡３１ａによって反射し、右側ののぞき穴３０から出射するようになっている。光軸調整作業を行う作業者は右ののぞき穴３０をのぞいて目的とする光が目に入るように光軸の調整を行うようになっている。
【００４５】
鏡胴２２の両側部には、図４、図６に示すように、鏡胴２２を枠２４に固定するために、外側に向けて環状に突出した鏡胴固定部３３，３４が設けられている。さらに、鏡胴２２には、後述する調整ネジ５２に通された丸形ナット６２を取り付ける上下調節部５４が設けられている。鏡胴固定部３３，３４および上下調節部５４についてはそれぞれ別途後述する。
【００４６】
枠（枠体）２４は、図７に示すように正面から見て矩形状に形成されており、左下端部は図５に示すように前方に突出し、その突出した先端に、後述する調整ネジ５２が通される軸部用穴２４ｂが形成された軸部保持部２４ａが設けられている。
図５、図７に示すように、枠２４の上端部には枠固定部３５が、また下端部には枠固定部３６が設けられている。これら枠固定部３５、３６は、前記係合穴２６ａ，２６ｂに対応する位置に設けられる。
【００４７】
さらに、枠２４両側部の中央には、鏡胴２２を固定するための係合穴（保持部材用係合穴）３８ａ，３８ｂが同じ形状・大きさで形成されている。係合穴３８ａ、３８ｂは、図７に示すように、外側の径よりも内側の径がより大きく形成され、この間に段２４ｃが形成され、外側の直径はアーム２５の係合穴２６ａ，２６ｂとほぼ同じ直径である。
加えて、枠２４の内側には、図５に示すように、鏡胴２２を枠２４に固定する際にガイドとなる、後方から係合穴３８ａ，３８ｂに向かうように形成された浅い溝であるガイド溝３９（一方のみ図示）が形成されている。なお、係合穴３８ａ，３８ｂは、互いの中心を結ぶ直線（第１の直線）が、レンズ２３の光軸と前記第２の直線に対して、直交するように設けられている。
さらに、枠２４の右下部内側には、後述する調整ネジ５１に通された丸形ナット６２を取り付ける左右調節部５３が設けられている。
【００４８】
次に、図５〜図９に基づいて、鏡胴２２、枠２４、アーム２５間の取り付け構造について説明する。
前述のように、鏡胴２２には両外側に環状に突出する鏡胴固定部３３，３４が設けられている。図６に鏡胴固定部３３の構造を示した。図６に示すように鏡胴固定部３３は円筒形状に形成され、内部にコイルバネ４１を納めるための収納穴（第１収納穴）３３ａが設けられている。収納穴３３ａは、安定した付勢力が得られるようなコイルバネ４１の長さが得られ、かつ、ほぼコイルバネ４１が納まるように、ある程度の深さに形成される。ここで安定した付勢力が得られるようなコイルバネ４１の長さとは、たとえば、前記レンズ２３が直径３〜４ｃｍ程度であるとした場合に、コイルバネ４１は直径０．５ｃｍ、長さ１ｃｍ程度がよい。また、収納穴３３ａの底部には、コイルバネ４１の直径よりも小さい直径を有する環状の小さな突起（バネ支持用突起）３３ｂが形成されている。
【００４９】
一方、平面視円形である突出ボタン４０は、上部４０ａと下部４０ｂからなる第１出没部材であり、上部４０ａよりも下部４０ｂの直径が大きく、両者の間に段４０ｅが形成されている。上部４０ａの直径は、前記係合穴３８ａの外側の部分に対してぶれないように係合する大きさに形成されている。下部４０ｂの外径は前記収納穴３３ａに嵌合でき、また、係合穴３８ａの内側に填る大きさに形成され、さらに、下部４０ｂには凹部４０ｃが形成されている。また、上部４０ａには、係合穴３８ａに係合しやすいように、環状に面取りが施された面取り部４０ｄが形成されている。
【００５０】
鏡胴固定部３４についても、鏡胴固定部３３と全く同様に収納穴（第１収納穴）３４ａ、突起（バネ支持用突起）３４ｂが形成され、この収納穴に突出ボタン（第１出没部材）４０、コイルバネ４１がはめ込まれるようになっている。
【００５１】
鏡胴２２を枠２４に固定する際には、まず、突起３３ｂに合わせて収納穴３３ａにコイルバネ４１を挿入し、その上に凹部４０ｂ内にコイルバネ４１が納まるように突出ボタン４０をかぶせる。このとき、突出ボタン４０は、コイルバネ４１に支持され、少なくとも下部４０ｂの一部が収納穴３３ａに入り込み、それより上部は収納部３３ａから突出した状態である。次に鏡胴２２を枠２４の後方から枠２４の内側に合わせて、ガイド溝３９に突出した状態の突出ボタン４０をコイルバネ４１の付勢力に抗して押し当て、ガイド溝３９に従って鏡胴２２を押すと、前記係合穴２８に達したところで突出ボタン４０はコイルバネ４１の付勢力により係合穴２８に填り込み、図７の状態になる。
鏡胴固定部３４についても、全く同様である。
図７のとき、鏡胴固定部３３，３４では、各突出ボタン４０の段４０ｅが、コイルバネ４１の付勢力により、枠２４の段２４ｃを押圧した状態となっている。また、各突出ボタン４０の上部４０ａは係合穴３８ａ、３８ｂに対して回転自在である。よって、鏡胴２２は、両側の突出ボタン４０を軸にして図７における上下方向に回動可能に軸支された状態となる。
【００５２】
枠２４をアーム２５に取り付ける際も、枠固定部３５および枠固定部３６において、突出ボタン４０およびコイルバネ４１を用い、鏡胴２２を枠２４に固定する構造と同様に取り付ける。
枠２４の枠固定部３５，３６についても、図５に示すように、前記鏡胴固定部３３、３４と全く同様の形状・大きさを有する、収納穴（第２収納穴）３５ａ、３６ａ、突起（バネ支持用突起）３５ｂ、３６ｂが設けられている。これら収納穴３５ａ、３６ａのそれぞれにコイルバネ４１、突出ボタン（第２出没部材）４０がはめ込まれるようになっている。
【００５３】
図８および図９には、枠２４をアーム２５に取り付ける様子について、一部断面図で示した。枠２４をアーム２５に固定する際に、枠固定部３６においては、突起３６ｂに合わせて収納穴３６ａにコイルバネ４１を挿入し、突出ボタン４０をかぶせる。次に突出ボタン４０をアーム２５の下部２５ｃに押し当てた状態で枠２４を移動させると、突出ボタン４０は前記係合穴２６ｂに達したところでコイルバネ４１の付勢力により係合穴２６ｂに填り込み、図９の状態になる。
枠固定部３５においても、同様に収納穴３５ａ内にコイルバネ４１、突出ボタン４０をはめ込んだ状態で、アーム２５の上部２５ａの下方に突出ボタン４０を差し込んで、係合穴２６ａに達すると、突出ボタン４０は、コイルバネ４１の付勢力により係合穴２６ａに填り込む。
【００５４】
図９のとき、各突出ボタン４０の段４０ｅが、コイルバネ４１の付勢力により、アーム２５の係合穴２６ａ、２６ｂの周囲の裏面を押圧した状態となっている。また、各突出ボタン４０の上部４０ａは係合穴２６ａ、２６ｂに対して回転自在である。よって、枠２４は、上下の突出ボタン４０を軸にしてアーム２５に対して図９において左右方向に回動可能に軸支された状態となる。
【００５５】
次に鏡胴２２の光軸調整手段５０について説明する。光軸調整手段５０は、調整ネジ５１，５２、枠２４に設けられた左右調節部５３、および鏡胴２２に設けられた上下調節部５４等からなる。
図１０には調整ネジ５１を示した。なお、調整ネジ５２も、調整ネジ５１と全く同様に構成されることから、以下では調整ネジ５１，５２の各部の符号は同符号を付して説明する。
【００５６】
調整ネジ５１は操作つまみ５５と軸部５６とからなる本発明のつまみ部材である。操作つまみ５５は、円板状であり、回転操作しやすいように周縁部５５ａに沿ってローレット加工され一様に細かい切り込みが入っている。
また、操作つまみ５５の前面には、その周縁部５５ａよりもわずかに内側に落ち込んだ凹面５５ｂが形成されている。
【００５７】
この凹面５５ｂの前面には、図１１（ａ）に示すように、操作つまみ５５の調整方法と、この調整方法によって操作つまみ５５を操作した場合における操作つまみ５５の動作方向と鏡胴２２の駆動される方向との対応関係が表示された表示部５５ｃが設けられている。すなわち、調整ネジ５１の表示部５５ｃには、操作つまみ５５を右に回転させると鏡胴２２が右に向き、左に回転させると鏡胴２２が左に向くことが表示されている。一方、調整ネジ５２の表示部５５ｃには、操作つまみ５５を右に回転させると鏡胴２２が下に向き、左に回転させることにより上を向くことが表示されている。図１１（ａ）で示す各矢印や「左、右、上、下」の文字は、蛍光染料を含有した銘板に形成され、該銘板を調整ネジ５１，５２に貼ることで表示部５５ｃとなる。
図１０（ｂ）に示すように、軸部５６の一部にはねじが切られネジ部５６ａとなっている。ネジ部５６ａは、図示するように軸部５６の一部のみでよく、鏡胴２２を回動させるために足りる長さで十分である。ネジ部５６ａの先には、さらに周方向に沿って切り込み５６ｂが形成されている。
【００５８】
調整ネジ５１，５２は、図１１、図１３、および図１４に示すように、操作つまみ５５に近い方から順に、調整バネ６０、ワッシャー６１をはめ、ネジ部５６ａには丸形ナット６２を螺合させ、切り込み５６ｂにＥリング６３をはめ合わされた状態で、左右調節部５３、上下調節部５４に対して取り付けられる。
ここで、ワッシャー６１は調整ネジ５１の軸部５６を容易に通り抜けることができる穴を有するリング状の平板であって、後述する開孔５３ａを通ることはできない大きさである。丸形ナット６２は、円柱形状であって、周面を貫く貫通孔が形成されその貫通孔内にネジ部５６ａに螺合するねじが切られているものである。Ｅリング６３は、丸形ナットのはずれ防止のため設けられている。
なお、調整ネジ５１、５２の各ネジ部５６ａは、調整ネジ５１、５２を図１１（ａ）の右方向に回すと丸形ナット６２が外れるような方向にねじが切られている。
【００５９】
前述のように、枠２４には左右調節部（第２の開孔部材）５３が設けられている。図１２（ａ）には、該左右調節部５３を裏側から見た状態を示した。左右調節部５３は、裏（背面側）から見ると図１２（ａ）に示すように、２つの長方形を組み合わせたような８角形の開孔５３ａを有している。
この開孔５３ａは、図７に示すように前から見ると横方向に長い矩形状に形成され、つまり、開孔５３ａの前側の上下端部は塞がれていて、丸形ナット６２が当接するための受け板５３ｂ、５３ｃとなっている。ここでは、開孔５３ａを前方から見たときの矩形状の開孔を開孔５３ａａとする。開孔５３ａａは丸形ナット６２が通り抜けることができる大きさである。
図１２（ａ）において仮想線で示される開孔５３ａ右側の矩形状の領域は、丸形ナット６２がほぼ隙間なく接した状態で納められる大きさ・形状であり、受け板５３ｂ、５３ｃも含めて、丸形ナット６２を納めることができるナット収納部５７を形成している。
【００６０】
調整ネジ５１をこの左右調節部５３において枠２４に取り付ける方法を図１３に基づいて説明する。
図１３（ａ）に示すように、アーム２５の軸部用穴２５ｅに通した状態の調整ネジ５１の先に調整バネ６０，ワッシャー６１，丸形ナット６２、Ｅリング６３をはめ込み、開孔５３ａａ側から挿入していく。このとき丸形ナット６２は開孔５３ａａの形状に合わせて横方向に長くなる向きに保つ。そのまま、同図（ｂ）に示すようにワッシャー６１が開孔５３ａａの周囲の部分に当接するまで挿入する。ワッシャー６１が開孔５３ａａの周囲に当接すると、調整バネ６０はワッシャー６１と軸部保持部２５ｄとの間で圧縮され、言い換えれば常にワッシャー６１をナット側に押し、調整ネジ５１の軸部５６を操作つまみ５５側に引っ張っている状態である。
【００６１】
さらに同図（ｃ）に示すように、左右調節部５３の裏側の開孔５３ａを丸形ナット６２が通り過ぎたところで、調整ネジ５１を９０度回転させ、丸形ナット６２の向きを同図（ｄ）に示すように縦向きにする。
そのまま、調整ネジ５１を支持する手を離すと、調整バネ６０の付勢力によりワッシャー６１と丸形ナット６２間が狭まるため、すなわち、丸形ナット６２がナット収納部５７に納まる。
【００６２】
一旦、ナット収納部５７に納められた丸形ナット６２は開孔５３ａを画成する壁に囲まれ、しかも調整バネ６０の付勢力により受け板５３ｂ、５３ｃに常に押し当てられた状態であるので、ナット収納部５７から容易に外れることはない。
また、バネ６０により丸形ナット６２が受け板５３ｂ、５３ｃに押し当てられた状態ということは、常に丸形ナット６２とワッシャー６１により受け板５３ｂ、５３ｃが強固に挟まれていることになる。
【００６３】
鏡胴２２の左右方向の向きは、調整ネジ５１を回転させて左右調節部５３に取り付けられた丸形ナット６２のねじ込み量を調節することにより行われる。
調整ネジ５１を右に回転すると、丸形ナット６２は軸部５６ａの先端方向に向かい、調整ネジ５１の操作つまみ５５とナット６２間の距離が長くなり、調整バネ６０の付勢力に応じてワッシャー６１を介して左右調節部５３が後方に押される。枠２４は、その枠固定部３５，３６において突出ボタン４０を介してアーム２５に軸支されていることから、枠固定部３５，３６に係合する突出ボタン４０を軸にして左回りに回転し、鏡胴２２もともに回転し、すなわち、鏡胴２２は、煙感知器１００を正面から見た場合に右側に向く。
【００６４】
調整ネジ５１を左に回転すると、丸形ナット６２は調整ネジ５１の操作つまみ５５側に向かい、調整バネ６０の付勢力に抗して操作つまみ５５とナット６２間の距離が短くなり、ワッシャー６１を介して左右調節部５３が前方に引き寄せられる。枠２４は、鏡胴２２とともに右回りに回転し、すなわち、鏡胴２２は、煙感知器１００を正面から見た場合に左側に向く。
【００６５】
一方、鏡胴２２には上下調節部（第１の開孔部材）５４が設けられている。上下調節部５４は、裏から見ると図１２（ｂ）に示すように、凸字形状の８角形の開孔５４ａを有している。この開孔５４ａは、前から見ると図６に示すように縦方向に長い矩形状に形成され、つまり、開孔５４ａの前側の左右端部は塞がれていて、丸形ナット６２が当接するための受け板５４ｂ、５４ｃとなっている。ここでは、開孔５４ａを前方から見た場合の矩形状の開孔を開孔５４ａａとする。開孔５４ａａは、丸形ナット６２が容易に通過できる大きさである。
また、図１２（ｂ）において仮想線で示される開孔５４ａ下側の矩形状の領域は、丸形ナット６２が接した状態で納められる大きさ・形状であり、受け板５４ｂ、５４ｃも含めて、丸形ナット６２を納めることができるナット収納部５８になっている。
【００６６】
調整ネジ５２をこの上下調節部５４に取り付ける方法は、前記同様であり、図１４に基づいて説明する。
図１４（ａ）に示すように、枠２４の軸部用穴２４ｂに通された状態の調整ネジ５２の先に、調整バネ６０，ワッシャー６１，丸形ナット６２、Ｅリング６３をはめ込み、開孔５４ａａ側から挿入していく。このとき丸形ナット６２は開孔５４ａａの形状に合わせて縦方向に長くなる向きに保つ。そのまま、同図（ｂ）に示すようにワッシャー６１が開孔５４ａａの周囲の部分に当接し、さらに同図（ｃ）に示すように、上下調節部５４の裏側の開孔５４ａを丸形ナット６２が通り過ぎるまで挿入し、調整ネジ５２を９０度回転させ、丸形ナット６２の向きを同図（ｄ）に示すように横向きにする。
そのまま、調整ネジ５２を支持する手を離すと、調整バネ６０の付勢力によりワッシャー６１と丸形ナット６２間が狭まるため、すなわち、丸形ナット６２がナット収納部５８に納まる。
【００６７】
一旦、ナット収納部５８に納められた丸形ナット６２は開孔５４ａを画成する壁に囲まれ、しかも調整バネ６０の付勢力により受け板５４ｂ、５４ｃに常に押し当てられた状態であるので、ナット収納部５８から容易に外れることはない。
また、バネ６０により丸形ナット６２が受け板５４ｂ、５４ｃに押し当てられた状態ということは、常に丸形ナット６２とワッシャー６１により受け板５４ｂ、５４ｃが強固に挟まれていることになる。
【００６８】
鏡胴２２の上下方向の角度は、調整ネジ５２を回転させて上下調節部５４に取り付けられた丸形ナット６２のねじ込み量を調節することにより行われる。
調整ネジ５２を右に回転すると、操作つまみ５５と丸形ナット６２間の距離が長くなり、調整バネ６０の付勢力によりワッシャー６１を介して上下調節部５４が後方に押される。鏡胴２２は、鏡胴固定部３３，３４にはめ込まれた突出ボタン４０を軸にして下方に回転する。
調整ネジ５２を左に回転すると、調整ネジ５１の先端とナット６２間の距離が短くなり、調整バネ６０の付勢力に抗してワッシャー６１を介して上下調節部５４が前方に引き寄せられる。その結果、鏡胴２２は上方に回転する。
【００６９】
以上の煙感知器１００によれば、鏡胴２２は、枠２４に対して、鏡胴固定部３３，３４において、突出ボタン４０、コイルバネ４１により上下方向に回転可能な状態で軸支されている。また、枠２４は、アーム２５に対して、枠固定部３５，３６において、突出ボタン４０，コイルバネ４１により左右方向に回転可能な状態で軸支されている。
これらの軸支構造においては、突出ボタン４０の環状の段４０ｅが、常にコイルバネ４１の付勢力によりほぼ一定の力で枠２４あるいはアーム２５を押圧した状態であるので、ピンで軸支する構造などに比較して、飛躍的に、がたつきがなく、滑らかな回動を実現でき、高い精度で光軸調整作業が可能となる。
さらに、従来の光電式分離型感知器とは異なり、鏡胴２２は、第１の直線上において直接軸支され、また第２の直線上において枠２４を介して軸支されており、結局、直交する２つの直線上において４カ所で軸支されているので、この点においてもがたつきのない強固な軸支構造となる。
【００７０】
また、コイルバネ４１が納められる４つの収納穴３３ａ、３４ａ、３５ａ、３６ａをある程度の深さに形成し、コイルバネ４１をそれら収納穴にほぼ納まる長さとし、さらに突出ボタン４０の下部４０ｂを各収納穴に納まる大きさに形成し、その裏側に凹部４０ｃを形成しこの凹部４０ｃによりコイルバネ４１の頭部を被うようにしたことから、十分に安定した付勢力が得られる程度にコイルバネ４１の長さを確保できる上に、その割には各収納穴から突出ボタン４０までの長さがコンパクトなものとなる。
【００７１】
また、このような構造であれば、収納穴３３ａ、３４ａ、３５ａ、３６ａにおける組み立て作業も、各収納穴にコイルバネ４１を落とし込みそのコイルバネ４１の上に突出ボタン４１を被せるだけで、コイルバネ４１も突出ボタン４０の下部４０ｂも収納穴内に入り込むので、組み立て作業が容易になる。
しかも、４つの収納穴３３ａ、３４ａ、３５ａ、３６ａの底部には突起３３ｂ、３４ｂ、３５ｂ、３６ｂが設けられていることから、コイルバネ４１をこれら突起に合わせることによって各収納穴内においてコイルバネ４１を直立させることができるので、より一層組み立てが容易になる。
【００７２】
また、枠２４をアーム２５に対して組み付ける際にも、上下の突出ボタン４０の下部４０ｂは収納穴３５ａ，３６ａに入り込んでいることから、突出ボタン４０を軽く押さえた状態で枠２４をアーム２５の上部２５ａ下に入れ込み、その後枠２４をアーム２５に形成された係合穴２６ａ，２６ｂにまで移動させると、上下のコイルバネ４１の付勢力により自動的に突出ボタン４０、４０が係合穴２６ａ，２６ｂに係合する。
鏡胴２２を枠２４に対して組み付ける際には、鏡胴２２両外側の突出ボタン４０を軽く押さえるようにして、枠２４の各ガイド溝３９にはめ合わせ、ガイド溝３９に沿って係合穴３８ａ，３８ｂにまで各突出ボタン４０を移動させると、左右のコイルバネ４１の付勢力により自動的に突出ボタン４０、４０が係合穴３８ａ，３８ｂに係合する。
したがって、どちらの組み付け作業の際にも、ねじ等により固定することに比べて、格段に楽に組み付けることができる。特に鏡胴２２と枠２４間については、ガイド溝３９の存在により、より一層容易に組み付けることができる。
また、突出ボタン４０の上部４０ａには、面取り部４０ｄが形成され、各係合穴に填り込みやすいようになっている。
【００７３】
以上のように、煙感知器１００における、鏡胴２２と枠２４間および枠２４とアーム２５間の軸支構造は、突出ボタン４０とコイルバネ４１を利用することにより、組み立てが非常に容易でありながら、光軸調整作業に要求される精度や作業性を十分に満たすほどに、安定して滑らかな回転動作を実現するものである。
【００７４】
また、光軸調整手段５０によれば、調整バネ６０の付勢力によりワッシャー６１と丸形ナット６２が、受け板５３ｃ、５３ｃ、あるいは受け板５４ｂ、５４ｃを常に挟み込んだ状態であるので、調整ネジ５１、５２を回転することによって丸形ナット６２のネジ部５６ａに対するねじ込み量が変わるにともない、枠２４や鏡胴２２も常に丸形ナット６２と共に回転移動するので、調整ネジ５１，５２の回転量に対する鏡胴２２や枠２４の回転量との関係にずれが生じることなく、スムーズに高い精度で鏡胴２２の光軸の調整することができる。
しかも、丸形ナット６２が円柱形状であることから、鏡胴２２や枠２４との接触面積は一定であり、鏡胴２２や枠２４に対して加わる力もあまり変わらず、その点においても一定の状態で光軸調整を行うことができる。
【００７５】
また、調整作業にともなって、調整ネジ５１，５２の軸部５６に対する枠２４や鏡胴２２の角度が変化しても、丸形ナット６２が円柱形状であることから、左右方向の回転時には丸形ナット６２の曲面のナット収納部５７に対する当接位置が変わるだけであり、また、上下方向の回転時には丸形ナット６２の曲面のナット収納部５８に対する当接位置が変わるだけなので、枠２４や鏡胴２２に無理な力がかかることはなく、各部材が歪むこともない。
【００７６】
加えて、左右調節部５３や上下調節部５４に、２つの直方体を組み合わせたような形状で、受け板５３ｂ、５３ｃ、５４ｂ、５４ｃを有する開孔５３ａ、５４ａを設けたことから、調整ネジ５１，５２に螺合した状態の円形ナット６２を開孔５３ａ、５４ａに差し込み、調整ネジ５１，５２を回転させるだけで、調整バネ６０の付勢力を利用して、ナット収納部５７，５８に円形ナット６２を収納させることができるので、非常に容易に組み立てることができる。
【００７７】
光軸調整手段５０において、調整ネジ５１，５２には、図１１（ａ）に示すように、矢印とともに「左、右、上、下」が示された表示部５５ｃが設けられていることから、それぞれの調整ネジ５１，５２が、鏡胴２２の左右方向および上下方向のいずれの調整に対応したものであるかということや、調整ネジ５１，５２それぞれをどちらの方向に回転させれば鏡胴２２がいずれの方向に回転するかということがすぐに分かる。したがって、調整ネジ５１，５２、あるいは回転方向の選択の判断に戸惑うことなく、容易に光軸調整作業を行うことができる。
【００７８】
また、表示部５５ｃは、蛍光塗料を含有した銘板からなるので、大型のスポーツ施設の高天井等の暗所に設置する場合にも目視しやすい。
さらに、表示部５５ｃは周縁部５５ａよりも落ち込んでいる凹面５５ｂに設けられていることから、調整作業時につまみに触れても、凹面５５ｂにあまり触れることがなく、シールを剥がしてしまったり文字や矢印を摩滅させてしまうといったことが生じにくく、長い期間の使用に適している。また、凹面であると銘板を貼る際にも位置決めしやすい。
また、調整ネジ５１については、操作つまみ５５を右に回転させると鏡胴２２も右を向き、左に回転させると鏡胴２２も左に向くことから、作業者は感覚的に違和感なく調整作業を行うことができ、この点においても、作業が容易になる。
【００７９】
なお、本発明の光電式分離型感知器は、上記実施の形態に限らず、具体的な構造や形状等において適宜変更可能である。
たとえば、煙感知器１００では、調整ネジ５１と鏡胴２２の回転方向を感覚的に一致させたが、さらに、調整ネジ５２の代わりに鏡胴２２の側部に上下方向調整用の調整ネジを設け、この調整ネジと鏡胴の上下方向における回転方向が感覚的に一致するように構成してもよい。
また、鏡胴と枠体の軸支構造、枠体とアームの軸支構造のそれぞれを構成する突出ボタン、バネ、収納穴、および係合穴について、全て同じ部材を用いたが、一方の軸支構造に対して他の軸支構造について、異なる大きさ、形状のものにしても良い。ただし、本実施の形態のように同じ部材である方がコストを低く抑えることができる。
【図面の簡単な説明】
【００８０】
【図１】本発明の光電式分離型感知器の一例を示す図であり、（ａ）は正面図、（ｂ）は側面図である。
【図２】図１の光電式分離型感知器の前カバーを開けた状態を示す側面図である。
【図３】図１の光電式分離型感知器に内蔵される本体を示す縦断面図である。
【図４】鏡胴を示す斜視図である。
【図５】枠体を示す縦断面図である。
【図６】鏡胴、突出ボタンおよびバネを分解して正面から見た図であり、左半分は平面図に、右半分は断面図として示している。
【図７】鏡胴を枠体に取り付けた様子を正面から見た図であり、左半分は平面図に、右半分は部分的に断面図として示している。
【図８】鏡胴を枠体に取り付けた状態であって、突出ボタンおよびバネを分解して正面から見た図であり、枠固定部３６の部分のみ断面図として示している。
【図９】図８の枠体をアームに取り付けた様子を正面から見た図であり、枠固定部３６と係合穴２６ｂの部分のみ断面図として示している。
【図１０】調整ネジを示す図であり、（ａ）は操作つまみの正面図であり、（ｂ）は調整ネジ全体の側面図であり操作つまみの一部を破断して示している。
【図１１】本体を示す図であり、（ａ）は正面図、（ｂ）は側面図である。
【図１２】（ａ）は枠体に設けられた左右調節部を示す図であり、（ｂ）は鏡胴に設けられた上下調節部を示す図である。
【図１３】図１２（ａ）の左右調節部に対して調整ネジに螺合した丸形ナットを取り付ける工程を図１３（ａ）〜（ｅ）により順を追って説明するための図であり、操作つまみ部分は省略している。
【図１４】図１２（ｂ）の上下調節部に対して調整ネジに螺合した丸形ナットを取り付ける工程を図１４（ａ）〜（ｅ）順を追って説明するための図であり、操作つまみ部分は省略している。
【図１５】従来の光電式分離型感知器を示す図であり、（ａ）は正面図、（ｂ）は側面図である。
【符号の説明】
【００８１】
１００煙感知器（光電式分離型感知器）
１０前カバー
１１本体ケース
２０本体
２１回路収納部
２２鏡胴（保持部材）
２３レンズ
２４枠（枠体）
２４ａ軸部保持部
２４ｂ軸部用穴
２４ｃ段
２５アーム（枠体支持部材）
２５ａ上部
２５ｂ背部
２５ｃ下部
２５ｄ軸部保持部
２５ｅ軸部用穴
２６ａ，２６ｂ係合穴（枠体用係合穴）
３０のぞき穴
３１ａ鏡
３２採光穴
３３，３４鏡胴固定部
３３ａ，３４ａ収納穴（第１収納穴）
３３ｂ、３４ｂ突起（バネ支持用突起）
３５，３６枠固定部
３５ａ，３６ａ収納穴（第２収納穴）
３５ｂ、３６ｂ突起（バネ支持用突起）
３８ａ，３８ｂ係合穴（保持部材用係合穴）
３９ガイド溝
４０突出ボタン（出没部材）
４０ａ上部
４０ｂ下部
４０ｃ凹部
４０ｄ面取り部
４０ｅ段
４１コイルバネ
５０光軸調整手段
５１，５２調整ネジ（つまみ部材）
５３左右調節部（第２の開孔部材）
５３ａ開孔
５３ｂ，５３ｃ受け板
５４上下調節部（第１の開孔部材）
５４ａ開孔
５４ｂ，５４ｃ受け板
５５操作つまみ
５５ａ周縁部
５５ｂ凹面
５５ｃ表示部
５６軸部
５６ａネジ部
５６ｂ切り込み
６０調整バネ
６１ワッシャー
６２丸形ナット
６３Ｅリング
【図１】
2006268868.tif 000003
【図２】
2006268868.tif 000004
【図３】
2006268868.tif 000005
【図４】
2006268868.tif 000006
【図５】
2006268868.tif 000007
【図６】
2006268868.tif 000008
【図７】
2006268868.tif 000009
【図８】
2006268868.tif 000010
【図９】
2006268868.tif 000011
【図１０】
2006268868.tif 000012
【図１１】
2006268868.tif 000013
【図１２】
2006268868.tif 000014
【図１３】
2006268868.tif 000015
【図１４】
2006268868.tif 000016
【図１５】
2006268868.tif 000017